(57)【要約】【課題】構造が簡単で、組立が容易、且つ各光原色発光体の波長結合に必要な区域を有効に短縮するライトガイド構造を提供する。【解決手段】ライトガイド構造は、バックライトモジュールの光原色発光体とモニター面板の間で利用し、ライトガイド上に各原色発光体の光線が通過する部位、少なくとも二箇所に複数の錐面を設置し、通過する光線は少なくとも二回錐面に於いて拡散、混合し、有効に各原色発光体波長結合の区域を短縮する。【選択図】図2
0003111489.tif 000002
【実用新案登録請求の範囲】
【請求項１】
バックライトモジュールの各原色発光体の波長結合を構成するライトガイド構造において、
ライトガイドは、各原色発光体光線が通過する部位の少なくとも二箇所に複数の拡散体を設置し、通過した光線は少なくとも二回の拡散、混合作用によって各原色発光体が白色光を形成し、各原色発光体の波長結合区域を有効に短縮することを特徴とするライトガイド構造。
【請求項２】
前記ライトガイドは、バヅクライトモジュールの各原色発光体とモニター面板の間で利用され、各原色発光体の正面位置に入光面が設置され、モニター面板の正面位置に出光面が設置されることを特徴とする請求項1記載のライトガイド構造。
【請求項３】
前記ライトガイドは、バックライトモジュールの各原色発光体とモニター面板の間で利用され、モニター面板の端部には反射光カバーが設置され、各原色発光体はモニター面板内側区域に設置され、その光線を反射光カバーに向けて照射し、このライトガイドはバヅクライトモジュールの各原色発光体、反射光カバー及びモニター面板の間で利用され、各原色発光体正面位置には入光面が設置され、モニター面板の端部位置には出光面が設置され、各錐状面が入光面と出光面部位に設置されることを特徴とする請求項1記載のライトガイド構造。
【請求項４】
前記拡散体は、入光面、出光面及びライトガイドが反射光カバーの作用を受ける光線屈折部位に設置することを特徴とする請求項1記載のライトガイド構造。
【請求項５】
前記各拡散体は、複数個の多角錐状突出構造、もしくは複数個の多角錐状凹溝構造によって構成されることを特徴とする請求項1記載のライトガイド構造。
【請求項６】
前記各拡散体は、その部位の多角錐状突出構造と一体であるか、もしくは多角錐状凹溝構造、もしくは直線溝槽構造から構成されることを特徴とする請求項1記載のライトガイド構造。
【請求項７】
前記ライトガイドは、更に中空層を設置することを特徴とする請求項1記載のライトガイド構造。
【考案の詳細な説明】
【技術分野】
【０００１】
本考案は、ライトガイド構造に関するもので、バックライトモジュールの各光の原色発光体波長結合技術で、構造が簡単、組立が容易で、且つ各光原色発光体の波長結合に必要な区域を有効に短縮するものである。
【背景技術】
【０００２】
一般のバヅクライトモジュールは、白色光で、主にR(red)、G(ｇreen)、B(b1ue)三色の光原色発光体(例として発光ダイオード)が発する光線波長を結合して形成される。各一色の原色発光体が発する光線は既定の角度で射出される。図1に示すとおり、各原色発光体10の光線は、拡散体20の拡散作用を経て、各原色発光体10の光線がスムーズに重なり、各原色発光体10の光線が波長結合し、光混合される。
【０００３】
また各原色発光体10の光線は、拡散体20を通過する時、単一の拡散部品の場合、拡散作用は一度だけであるため、延長光波結合の距離は、光混合区域Aと各原色発光体10の距離Hが遠くなる。このため、公知の技術では拡散部品の数量を増やすことで、各原色発光体の光線を何度も拡散させ、光波の結合距離を短縮し(もしくは光波結合区域を狭める)、関連ライトガイド部品の配置コストを少なくしている。しかしながら、単純に拡散部品の数量を増やして各原色発光体の光結合距離を短くすることは、実際に行ってみると、各拡散部品の間の相対位置が固定しにくく、組立作業が複雑になり、更には書く拡散体を重畳配置しなければならないので、適さない。
【考案の開示】
【考案が解決しようとする課題】
【０００４】
解決しようとする問題点は、構造が複雑で、組立が繁雑であるため、各光原色発光体の波長結合に必要な区域を短縮するには理想的でない点である。
【課題を解決するための手段】
【０００５】
本考案は、バックライトモジュールの光原色発光体とモニター面板の間で利用し、ライトガイド上に各原色発光体の光線が通過する部位、少なくとも二箇所に複数の錐面を設置し、通過する光線は少なくとも二回錐面に於いて拡散、混合し、有効に各原色発光体波長結合の区域を短縮することを最も主要な特徴とする。
【考案の効果】
【０００６】
本考案のライトガイド構造は、構造が簡単で、組立が容易、且つ各光原色発光体の波長結合に必要な区域を有効に短縮するという利点がある。
【考案を実施するための最良の形態】
【０００７】
図2に示すとおり、本考案は、バックライトモジュールの各原色発光体10とモニター面板30の間で利用される。そのうち、ライトガイド40は、各原色発光体10の正面位置に入光面41が設置され、バックライトモジュールのモニター面板30位置に出光面42が設置される。実施例では、バックライトモジュールは、モニター面板30の端部に反射光カバー50が設置され、各原色発光体1Oはモニター面板30内側区域に設置し、光線が反射光カバー50に向かって放射される。
【０００８】
前述のライトガイド40の出光面42は、モニター面板30端部に面しているので、反射光カバー50の屈折作用によって、各原色発光体10は入光面41から入ったライトガイド40の光線を、出光面42を経てモニター面板30上に表示し、バックライトモジュール全体の予定輝度を形成する。
【０００９】
図2及び図3に示すとおり、ライトガイド40には、各原色発光体10の光線通過位置(例として図に示すのは入光面41及び出光面42の位置、もしくはライトガイド40が反射光カバー作用を受ける光線屈折位置)少なくとも二箇所に、複数の拡散体43を設置する。各拡散体43は図に示すとおり、複数個の多角錐状突出構造、もしくは複数個の多角錐状凹構造(図省略)から構成され、これらを一体で設置するか、もしくは異なる幾何学形状構造体とする。また図4に示すとおり、直線溝槽形式でもよく、どれも通過した光線は拡散作用を具える。
【００１０】
この他、ライトガイド40の構造は、図5に示すとおり、ライトガイド40は、各原色発光体10の正面位置に入光面41が設置され、ライトガイド40別側には出光面42が設置される。各原色発光体10の光線は、入光面41から出光面42を通り、反射光カバー50から放射され、最後に屈折してモニター面板30へ照射され、モニター面板30が発光する。同様に入光面41及び出光面42に拡散体43を複数設置して、同様に通過した光線は拡散作用を具える。さらにライトガイド40内側に中空層44を設置して拡散効果をより高める。
【００１１】
各原色発光体10がモニター面板30に入る前、その光線は図6に示すとおり、先ずライトガイド40を通過する。更にライトガイド40の作用によって、通過した光線は少なくとも二回拡散体43によって拡散、光混合され、各原色発光体の波長が結合して白色となり、また各原色発光体10の波長結合混合区域Aを有効に短縮し、各原色発光体10との距離H2が近づき、バックライトモジュール全体の白色品質が向上する。
【００１２】
特に単一のライトガイド40上に複数の拡散、光混合部位を設置することにより、バックライトモジュールの各原色発光体波長結合に必要な部品数量を減らし、組立が簡単になる。
【図面の簡単な説明】
【００１３】
【図１】公知のバックライトモジュールで、単一の拡散体によって各原色発光体波長結合を補助する構造指示図である。
【図２】本考案ライトガイドの応用配置図である。
【図３】本考案ライトガイドの外観立体図である。
【図４】本考案の別のライトガイド外観立体図である。
【図５】本考案の更に別のライトガイド外観立体図である。
【図６】本考案のバックライトモジュールで、拡散体によって各原色発光体波長結合を補助する構造指示図である。
【符号の説明】
【００１４】
A  混合色区域
10  各原色発光体
20  拡散部品
30  モニター面板
40  ライトガイド
41  入光面
42  出光面
43  拡散体
44  中空層
50  反射光カバー
【図１】
0003111489.tif 000003
【図２】
0003111489.tif 000004
【図３】
0003111489.tif 000005
【図４】
0003111489.tif 000006
【図５】
0003111489.tif 000007
【図６】
0003111489.tif 000008